(57)【特許請求の範囲】
【請求項１】
使用時における水平位置と、不使用時における起立位置との間で回動可能に形成され、水平位置及び起立位置において停止可能な手摺体を具備する縦可動手摺であって、
壁面に固定されるベースと、該ベースの中間部より突出する一対の支持片とからなる支持部材と、
上記手摺体の基端部を固定保持するブラケットと、
上記ブラケットに貫通固着され、上記支持部材の両支持片に回転可能に枢着される回転軸と、
上記支持部材の両支持片間におけるベースの上端に被着係止されてベース表面に添設され、上記手摺体の回動時における上記ブラケットの上端角部が僅かな隙間を残して回動可能な凹状円弧部と、該凹状円弧部の下方に連接して、使用時における上記ブラケットの基端面と当接可能な平坦膨隆部とを有する位置規制部材と、
を具備することを特徴とする縦可動手摺。
【請求項２】
請求項１記載の縦可動手摺において、
上記ブラケットの上端面にマグネット受けを設けると共に、該マグネット受けにマグネットを固着し、
上記位置規制部材の凹状円弧部の上方に連接して嵌合溝部を横設すると共に、該嵌合溝部に、上記マグネットに吸着可能な磁性プレートを嵌合固着してなる、
ことを特徴とする縦可動手摺。
【請求項３】
請求項１又は２記載の縦可動手摺において、
上記支持部材及び位置規制部材をアルミニウム製押出形材にて形成してなる、ことを特徴とする縦可動手摺。
【請求項４】
請求項１ないし３のいずれかに記載の縦可動手摺において、
上記支持部材のベース両側と支持片の外方にそれぞれ被着可能なカバー部材を更に具備し、
上記カバー部材は、上記支持部材のベースの一方の外方張り出し部と、上記支持片の上端及び下端を塞ぐ略三角形状の天板部及び底板部と、上記天板部と底板部とを連結する傾斜側面部とからなり、上記傾斜側面部の一端に、上記ベースの両側縁に突設された係止爪片と係合可能な係止爪を有し、他端に上記支持片の先端に形成された係止段部に係合可能な係止溝部を有する合成樹脂製部材にて形成される、
ことを特徴とする縦可能手摺。
【発明の詳細な説明】
【技術分野】
【０００１】
この発明は縦可動手摺に関するもので、更に詳細には、例えばトイレ等の場所において、高齢者等の身体的弱者の介助に供する縦可動手摺に関するものである。
【背景技術】
【０００２】
従来、トイレ等において使用者の身体を支持するために手摺が設置されているが、トイレ内は面積に余裕がないことが多く、壁面から突出する手摺を常設しておくと不便なことが多いので、壁面側に回動させて格納することができるようにした手摺が使用されている。特に、縦方向に回動する縦可動手摺は回動時に必要なスペースを小さく取ることができるため、多く使用されている。
【０００３】
このような縦可動手摺として、壁面に固定されるベースと、該ベース面に溶接等によって起立固定される一対の支持片とからなる支持部材と、先端部が弧状の略Ｕ字形のパイプ部材からなる手摺体と、該手摺体の上下の基端部を固定保持するブラケットと、該ブラケットに貫通固着され、上記両支持片に回転可能に枢着される回転軸と、回転軸の一端部に係合され、手摺体の下降時に手摺体に持ち上げ方向の復元弾力を付勢する渦巻きスプリングと、回転軸の他端部に係合され、回転軸の回動を制動するディスクダンパと、を具備する縦可動手摺が知られている（例えば、特許文献１参照）。
【０００４】
また、この種の縦可動手摺においては、不使用時の起立位置における安定性を図るために、ブラケットと支持部材の対向部位に、互いに吸着可能なマグネットと磁性プレートを設けている。
【特許文献１】特開２００１−２２０８７６号公報（段落００１０〜００１２，００１６，００１７、図１，図２，図１０）
【発明の開示】
【発明が解決しようとする課題】
【０００５】
しかしながら、特許文献１に記載のものは、手摺体の上下の基端部は平行でなく、傾斜しているため、手摺体の基端部をブラケットに嵌挿して取り付けることができず、ブラケットを２分割にして手摺体を挟持し、溶接等によって固定する必要がある。したがって、構成部材が多くなると共に、組立が面倒であるという問題があった。また、使用時において、手摺体に大きな荷重が加わるため、支持部材のベース表面とブラケットの基端面との当接部に過大な負荷がかかり支持部材が変形する懸念があった。したがって、支持部材及びブラケットを耐強度性に富む部材例えばステンレス鋼製部材にて形成していた。
【０００６】
また、この種の縦可動手摺においては、手摺体の回動時に支持部材とブラケットとの間に指が挟まれないようにする安全面の工夫を施す必要がある。
【０００７】
この発明は、上記事情に鑑みてなされたもので、手摺体の使用状態の姿勢を安定保持することができると共に、組立作業を容易に行えるようにし、かつ、手摺体の回動時の安全面を配慮した縦可動手摺を提供することを課題とするものである。
【課題を解決するための手段】
【０００８】
上記課題を解決するために、請求項１記載の発明は、使用時における水平位置と、不使用時における起立位置との間で回動可能に形成され、水平位置及び起立位置において停止可能な手摺体を具備する縦可動手摺であって、  壁面に固定されるベースと、該ベースの中間部より突出する一対の支持片とからなる支持部材と、  上記手摺体の基端部を固定保持するブラケットと、  上記ブラケットに貫通固着され、上記支持部材の両支持片に回転可能に枢着される回転軸と、  上記支持部材の両支持片間におけるベースの上端に被着係止されてベース表面に添設され、上記手摺体の回動時における上記ブラケットの上端角部が僅かな隙間を残して回動可能な凹状円弧部と、該凹状円弧部の下方に連接して、使用時における上記ブラケットの基端面と当接可能な平坦膨隆部とを有する位置規制部材と、を具備することを特徴とする。
【０００９】
このように構成することにより、使用時における水平位置においては、手摺体を固定保持するブラケットの基端面が、支持部材の支持片間におけるベース表面に添設された位置規制部材の平坦膨隆部に当接することで、手摺体に係る荷重を受けることができる。
【００１０】
また、位置規制部材に、手摺体の回動時におけるブラケットの上端角部が僅かな隙間を残して回動可能な凹状円弧部を設けることで、手摺体を回動する際に、使用者が支持部材とブラケットとの間に指を挟む虞がない。この場合、手摺体の回動時におけるブラケットの上端角部の軌跡と円弧状凹部との隙間を例えば４ｍｍ以下にすることにより、小児の指の入り込みを防止することができる。
【００１１】
また、請求項２記載の発明は、請求項１記載の縦可動手摺において、上記ブラケットの上端面にマグネット受けを設けると共に、該マグネット受けにマグネットを固着し、上記位置規制部材の凹状円弧部の上方に連接して嵌合溝部を横設すると共に、該嵌合溝部に、上記マグネットに吸着可能な磁性プレートを嵌合固着してなる、ことを特徴とする。
【００１２】
このように構成することにより、不使用時における手摺体の起立位置を安定化するマグネット及び磁性プレートの取り付けを容易かつ確実にすることができる。
【００１３】
また、請求項３記載の発明は、請求項１又は２記載の縦可動手摺において、上記支持部材及び位置規制部材をアルミニウム製押出形材にて形成してなる、ことを特徴とする。ここで、アルミニウムとはアルミニウム合金を含む意味である。
【００１４】
このように構成することにより、ベースと支持片とを溶接する構造のものに比べて支持部材の作製を容易にすることができると共に、軽量にすることができ、かつ、支持部材に付加される手摺体の位置規制機能を有する部材の作製を容易にすることができる。
【００１５】
加えて、請求項４記載の発明は、請求項１ないし３のいずれかに記載の縦可動手摺において、上記支持部材のベース両側と支持片の外方にそれぞれ被着可能なカバー部材を更に具備し、上記カバー部材は、上記支持部材のベースの一方の外方張り出し部と、上記支持片の上端及び下端を塞ぐ略三角形状の天板部及び底板部と、上記天板部と底板部とを連結する傾斜側面部とからなり、上記傾斜側面部の一端に、上記ベースの両側縁に突設された係止爪片と係合可能な係止爪を有し、他端に上記支持片の先端に形成された係止段部に係合可能な係止溝部を有する合成樹脂製部材にて形成される、ことを特徴とする。
【００１６】
このように構成することにより、支持部材のベース両側と支持片の外方側の上下開口部及び側部開口部をカバー部材によって容易に被覆することができる。したがって、支持片に枢着される回転軸の突出部を外部から目隠しすることができ、例えば、回転軸の突出部に係合される、手摺体に持ち上げ方向の復元弾力を付勢するばね部材例えば渦巻きスプリングや、回転軸の回動を制動する制動部材例えばディスクダンパ等を外部から目隠しすることができる。
【発明の効果】
【００１７】
上記のように構成することにより、以下のような効果が得られる。
【００１８】
（１）請求項１記載の発明によれば、手摺体を固定保持するブラケットの基端面が、支持部材の支持片間におけるベース表面に添設された位置規制部材の平坦膨隆部に当接することで、手摺体に係る荷重を受けることができるので、使用時における手摺体の水平姿勢を安定化させることができると共に、手摺体に加わる荷重に対する強度を持たせて変形を防止することができる。
【００１９】
また、手摺体を回動する際に、使用者が支持部材とブラケットとの間に指を挟む虞がないので、安全面の維持を図ることができる。
【００２０】
（２）請求項２記載の発明によれば、不使用時における手摺体の起立位置を安定化するマグネット及び磁性プレートの取り付けを容易かつ確実にすることができるので、上記（１）に加えて、更に不使用時における手摺体の起立位置の安定化を容易にすることができる。
【００２１】
（３）請求項３記載の発明によれば、上記（１），（２）に加えて、更にベースと支持片とを溶接する構造のものに比べて支持部材の作製を容易にすることができると共に、軽量にすることができ、かつ、支持部材に付加される手摺体の位置規制機能を有する部材の作製を容易にすることができる。
【００２２】
（４）請求項４記載の発明によれば、支持片に枢着される回転軸の突出部を外部から目隠しすることができ、例えば、回転軸の突出部に係合される、手摺体に持ち上げ方向の復元弾力を付勢するばね部材（渦巻きスプリング）や、回転軸の回動を制動する制動部材（ディスクダンパ）等を外部から目隠しすることができる。したがって、上記（１）〜（３）に加えて、更に美観の向上が図れると共に、使用者の手や被服等の引っ掛かりを防止することができる。
【発明を実施するための最良の形態】
【００２３】
以下に、この発明の最良の実施形態を添付図面に基づいて詳細に説明する。ここでは、この発明に係る縦可動手摺をトイレに適用した場合について説明する。
【００２４】
図１は、この発明に係る縦可動手摺をトイレに取り付けた場合の使用状態を示す概略斜視図、図２は、上記縦可動手摺の使用状態の一部を断面で示す斜視図（ａ）及び要部を断面で示す斜視図（ｂ）、図３は、上記縦可動手摺の不使用時（格納時）の状態を示す斜視図である。
【００２５】
上記縦可動手摺Ｈ（以下に、単に手摺Ｈという）は、壁面１に固定されるベース１１と互いに平行に対峙する一対の支持片１２とからなる支持部材１０と、使用時における水平位置と、不使用時における起立位置との間で回動自在に形成され、水平位置及び起立位置で停止可能な先端部が弧状の略Ｕ字形の手摺体２０と、この手摺体２０の上下の基端部２１，２２を固定保持するブラケット３０と、ブラケット３０に貫通固着され、両支持片１２に回転可能に枢着される回転軸４０と、使用時における手摺体２０の水平姿勢を規制する位置規制部材５０と、を具備している。
【００２６】
この場合、上記手摺体２０は、図４ないし図１０に示すように、外周を例えば合成樹脂部材２０ａで被覆した中空円筒状のパイプ部材２０ｂにて形成されており、先端に略半円の弧状部２３を有する略Ｕ字形に屈曲されると共に、基端側は下部側基端部２２が上部側基端部２１に対して平行に近接して設けられている。すなわち、手摺体２０の主要部を構成する略Ｕ字形の手摺本体２４の互いに平行な上部２４ａと下部２４ｂにおける上部２４ａに延在する上部側基端部２１に対して、下部２４ｂの基端側から上部２４ａ側に向かって傾斜する傾斜部２４ｃを介して上部側基端部２１に平行に近接して下部側基端部２２が設けられている。
【００２７】
また、手摺体２０の上部側基端部２１の中空部内には、例えば鉄製の矩形ブロック状の補強部材２５が挿入されている（図１１及び図１２参照）。この補強部材２５は、上部側基端部２１の中空部内にほぼ内接するように挿入されている。また、補強部材２５には、図５，図６，図８及び図１０に示すように、基端側に回転軸４０の嵌挿用孔２５ａが設けられると共に、基端面から嵌挿用孔２５ａに向かって固定ねじ孔２５ｂが刻設されている。また、補強部材２５の挿入側の２箇所には、係止ねじ孔２５ｃが刻設されており、補強部材２５が手摺体２０の上部側基端部２１内に挿入された状態で、ブラケット３０及び上部側基端部２１を貫通する固定ねじ２６を係止ねじ孔２５ｃに螺合することで、補強部材２５が手摺体２０の上部側基端部２１内に固定される。この補強部材２５は、取付状態においてブラケット３０より突出する長さに形成されている。また、補強部材２５の基端面から嵌挿用孔２５ａに向かって固定ねじ孔２５ｂを設けることにより、嵌挿用孔２５ａ内に嵌挿される回転軸４０の中間部に設けられた平坦面４１に、固定ねじ孔２５ｂに螺合される例えば芋ねじからなる押しねじ２７を押圧して、補強部材２５と回転軸４０とを固定することができる。
【００２８】
また、手摺体２０の下部側基端部２２の中空部内には、例えば鉄製の矩形ブロック状の当て板部材２８が挿入されている（図１１及び図１２参照）。この当て板部材２８は、補強部材２５に比べて強度が小さくてもよいので、小さく形成されており、両端部の２箇所には、係止ねじ孔２８ａが刻設され、当て板部材２８が手摺体２０の上部側基端部２１内に挿入された状態で、ブラケット３０及び下部側基端部２２を貫通する固定ねじ２６を係止ねじ孔２８ａに螺合することで、当て板部材２８が手摺体２０の上部側基端部２１内に固定される。
【００２９】
上記補強部材２５と当て板部材２８は、手摺Ｈを組み立てる前に、手摺体２０の上下部側基端部２１，２２の中空部内に挿入固定される。そして、後述する支持部材１０に設けられた貫通孔１０ａ、ブラケット３０に設けられた貫通孔３０ａと手摺体２０の上部側基端部２１に設けられた貫通孔２１ａ及び補強部材２５に設けられた嵌挿用孔２５ａを貫通する回転軸４０を、押しねじ２７で固定することで、手摺体２０とブラケット３０及び回転軸４０が一体に固定される。
【００３０】
上記ブラケット３０は、互いに平行な２つの手摺体基端部嵌挿用穴３１，３２（以下に穴３１，３２という）及び両穴３１，３２を連通するスリット３３を有するアルミニウム製押出形材にて形成されている。この場合、ブラケット３０は、図１１及び図１２に示すように、２つの穴３１，３２の両側面と上端面及び下端面は平坦状に形成され、スリット３３の両側面は凹状に括れている。これにより、ブラケット３０の無駄な材料を削減すると共に、ブラケット３０の押出成形を容易にすることができる。また、ブラケット３０の基端部側の上部側の穴３１の側面には回転軸４０が嵌挿可能な貫通孔３０ａが設けられている。なお、ブラケット３０の先端側の上端面には円形凹状のマグネット受け３４が設けられており、このマグネット受け３４に円柱状のマグネット３５が例えば両面接着テープ等の接着手段を介して固着されるようになっている。
【００３１】
上記のように形成されるブラケット３０の小口側の２つの穴３１，３２及びスリット３３には、キャップ部材３７が被着されて、外部から目隠しされている。このキャップ部材３７は、図１１及び図１２に示すように、２つの穴３１，３２内に嵌挿される２つの円板部３７ａ，３７ｂと両円板部３７ａ，３７ｂの間に連結され、スリット３３内に挿入される矩形ブロック状の挿入部３７ｃとからなり、例えば合成ゴム製部材にて形成されている。
【００３２】
上記回転軸４０はステンレス鋼製の部材にて形成されており、図１１及び図１２に示すように、中間部の両側に平坦面４１が設けられ、両端部の中央には軸方向に沿うスリット部４２が形成されている。このように形成される回転軸４０は、上述したように、支持部材１０，ブラケット３０，手摺体２０及び補強部材２５を貫通して取り付けられた状態で、一端のスリット部４２に、手摺体２０の下降時に手摺体２０を持ち上げる方向の復元弾力を付与するばね部材例えば渦巻きスプリング４３が係合され、他端のスリット部４２には回転軸４０を制動するための制動部材例えばオイルの粘性を利用してトルクを発生させるディスクダンパ４４が係合されている。
【００３３】
一方、上記支持部材１０は、図６，図１１及び図１２に示すように、矩形状のベース１１と、このベース１１の中心部に対して互いに平行に対峙する一対の支持片１２とからなる断面略π字状のアルミニウム製押出形材にて形成されている。この場合、ベース１１の上下両端部の４箇所には取付孔１３が穿設され、また、両側縁の表面側すなわち支持片１２側には、後述するカバー部材６０を係止する係止爪片１４が突設されている（図６参照）。
【００３４】
また、両支持片１２は、中間部から基端部側に渡って厚肉部１５が形成されると共に、中間部から先端側に薄肉部１６が形成され、先端部には、カバー部材６０を係止する係止段部１７が形成されている。この支持片１２の厚肉部１５に回転軸４０を嵌挿する貫通孔１０ａが穿設されている。
【００３５】
また、支持部材１０のベース１１における両支持片１２間には、手摺体２０の使用時の水平位置及び不使用時の格納位置を維持するための位置規制部材５０が取り付けられている。この位置規制部材５０は、図５，図８，図１０，図１１及び図１２に示すように、両支持片１２ａ間のベース１１表面に位置する略矩形状の位置規制片５１と、この位置規制片５１の上端から直角に折曲され、ベース１１の上端部に係止される水平係止片５２とからなる。
【００３６】
この場合、位置規制片５１の上部側には、上記ブラケット３０に取り付けられたマグネット３５に吸着可能な例えば鋼板等の磁性プレート３６が嵌挿可能な嵌合溝５３が横設されている。この嵌合溝５３は、上下に対峙する一対の断面逆Ｌ字状の案内凸条５３ａによって形成されている。このように形成された嵌合溝５３内に磁性プレート３６が嵌挿固定される。これにより、手摺体２０が水平状態から起立された際に、ブラケット３０に固定されたマグネット３５と磁性プレート３６が吸着して手摺体２０の格納位置が維持される。
【００３７】
また、位置規制片５１の下部側には、手摺体２０が水平位置におかれた際に、ブラケット３０の端面に当接して手摺体２０の水平位置を維持する平坦膨隆部５４が形成されている。なお、この平坦膨隆部５４の裏面側には、ベース表面に接触する互いに平行な複数の補強リブ５５が突設されている。このように平坦膨隆部５４の裏面側に補強リブ５５を突設することにより、手摺体２０の使用位置でブラケット３０が当接する平坦膨隆部５４の耐圧強度を高めることができる。
【００３８】
また、位置規制片５１における嵌合溝５３と平坦膨隆部５４との間には、手摺体２０の回動に伴って回動するブラケット３０の上端角部３８が干渉しないように僅かな隙間を残して回動可能な凹状円弧部５６が形成されている。すなわち、上端角部３８の回動軌跡よりやや大きい曲率の凹状円弧部５６が形成されている（図４，図５，図７〜図１１参照）。この場合、凹状円弧部５６とブラケット３０の上端角部３８の軌跡との隙間ｓは、小児の指が入り込まない隙間例えば４ｍｍ以下に設定されている。つまり、凹状円弧部５６の曲率面と、ブラケット３０の上端角部３８の回動軌跡との隙間ｓは、小児の指が入り込まない範囲以下（４ｍｍ以下）に設定されている。これにより、図４及び図５に示す使用時の手摺体２０の水平位置において、凹状円弧部５６とブラケット３０の上端角部３８との隙間ｓに小児の指が入り込むことがなく、また、図９及び図１０に示す不使用時の手摺体２０の起立位置（格納位置）においても、凹状円弧部５６とブラケット３０の上端角部３８との隙間ｓに小児の指が入り込むことがない。
【００３９】
上記のように形成される位置規制部材５０を支持部材１０の両支持片１２間に取り付けた状態で、支持部材１０の両側にそれぞれカバー部材６０が被着されて、渦巻きスプリング４３及びディスクダンパ４４が外部から目隠しされている。
【００４０】
この場合、カバー部材６０は、支持部材１０のベース１１の一方の外方張り出し部と、支持片１２の上端及び下端を塞ぐ略三角形状の天板部６１及び底板部６２と、天板部６１と底板部６２を連結する傾斜側板部６３とからなる例えばＡＢＳ樹脂等の合成樹脂製部材にて形成されている。
【００４１】
なおこの場合、傾斜側板部６３は、一端に支持部材１０の係止爪片１４に係合する係止爪６４を有し、他端に支持部材１０の係止段部１７に係合する二股状の係止溝部６５を有しており、支持部材１０に係止された状態において、係止溝部６５の外側面は支持片１２の対向側面と同一平面上に位置するように形成されている。なお、係止爪６４は、傾斜側板部６３の上下端部と中間部の３箇所に設けられている。また、天板部６１は、位置規制部材５０の水平係止片５２の上面と同一平面上に位置する上面を有すると共に、支持片１２の上端部を覆う垂下片６１ａを有している（図２参照）。なお、垂下片６１ａの端部は係止溝部６５の外側面の上端部に膨隆形成されている。また、底板部６２は、支持片１２の下端部を覆う起立片６２ａを有しており、起立片６２ａの端部は係止溝部６５の外側面の下端部に膨隆形成されている。
【００４２】
上記のように形成されるカバー部材６０は、支持部材１０の支持片１２の外方側面に両面接着テープ等によって固着されるカバー受け７０を介して支持部材１０の両側に被着される。この場合、カバー受け７０は、カバー部材６０の傾斜側板部６３の傾斜面に沿った傾斜角を有する傾斜受け片７１と、傾斜受け片７１の両端に折曲される一対の脚片７２と、両脚片７２の先端から外側に折曲される取付片７３とからなる断面略ハット状の例えばアルミニウム製押出形材にて形成されている。このように形成されるカバー受け７０は、取付片７３の裏面に両面接着剤等を介して支持部材１０の支持片１２の外方側面に固着される。
【００４３】
次に、手摺Ｈの組み立て及び壁面１への取付け手順について説明する。まず、手摺体２０の上下側基端部２１，２２内にそれぞれ補強部材２５と当て板部材２８を挿入し、手摺体２０の上下側基端部２１，２２をブラケット３０の２つの穴３１，３２内に挿入し、ブラケット３０に設けられた貫通孔３０ａと補強部材２５に設けられた嵌挿用孔２５ａとを合致させた状態で、固定ねじ２６によってブラケット３０と手摺体２０の上下側基端部２１，２２を固定する。
【００４４】
次に、両支持片１２間の上部に位置規制部材５０が取り付けられた支持部材１０の両支持片１２間に、手摺体２０を固定保持したブラケット３０を挿入し、支持部材１０の貫通孔１０ａとブラケット３０の貫通孔３０ａとを合致させる。次に、回転軸４０を、支持部材１０の貫通孔１０ａとブラケット３０の貫通孔３０ａ及び補強部材２５の嵌挿用孔２５ａに嵌挿する。この状態で、押しねじ２７を補強部材２５の固定ねじ孔２５ｂに螺合して押しねじ２７を回転軸４０の平坦面４１に押圧して回転軸４０とブラケット３０を固定する。その後、ブラケット３０の小口側の２つの穴３１，３２とスリット３３にキャップ部材３７を被着する。
【００４５】
次に、上記のようにしてブラケット３０に固定された回転軸４０の突出側のスリット部４２にそれぞれ渦巻きスプリング４３及びディスクダンパ４４を取り付ける。この際、ブラケット３０と両支持片１２との間に隙間がある場合は座金４５を介在してもよい。
【００４６】
支持部材１０に手摺体２０及びブラケット３０を組み付けた状態で出荷され、現場において、支持部材１０が取付ねじ（図示せず）によって便器２の側方の壁面１に取り付けられた後に、支持部材１０の両側にカバー部材６０が取り付けられる。
【００４７】
上記のように構成されるこの発明に係る手摺Ｈは、手摺体２０の上部側基端部２１がブラケット３０の穴３１内に嵌挿された状態で、回転軸４０が貫通してブラケット３０と手摺体２０が固定されるので、ブラケット３０と手摺体２０とを強固に連結することができる。したがって、使用状態において、手摺体２０に大きな荷重を加えても手摺体２０のがたつきの心配がない。また、使用状態すなわち手摺体２０が水平位置にある状態では、ブラケット３０の基端側部が、裏面に複数の補強リブ５５を有する位置規制部材５０の平坦膨隆部５４に当接するので、手摺体２０に大きな荷重が加わっても平坦膨隆部５４によって手摺体２０の水平姿勢を安定して維持することができると共に、手摺体２０に加わる荷重に対する強度を持たせて変形を防止することができる（図４，図５参照）。
【００４８】
また、不使用状態すなわち手摺体２０が垂直に起立した格納状態では、手摺体２０の上部２４ａ及び該上部２４ａの端部に延在する上部側基端部２１が壁面１に平行に近接するので、壁面１との間の隙間を小さくして格納することができる。また、この格納状態では、ブラケット３０に固着されたマグネット３５と磁性プレート３６が吸着して手摺体２０の格納位置が維持される（図９，図１０参照）。
【００４９】
また、ブラケット３０の上端角部３８と支持部材１０に取り付けられた位置規制部材５０の凹状円弧部５６との隙間ｓは、小児の指が入り込まない隙間例えば４ｍｍ以下に設定されているので、手摺体２０を使用位置から格納位置、あるいは、格納位置から使用位置の回動した場合に、使用者が指を挟まれる心配がない。
【００５０】
更にまた、支持部材１０のベース１１両側と支持片１２の外方側の上下開口部及び側部開口部をカバー部材６０によって被覆するので、支持片１２に枢着される回転軸４０の突出部に係合される、手摺体２０に持ち上げ方向の復元弾力を付勢する渦巻きスプリング４３や、回転軸４０の回動を制動するディスクダンパ４４等を外部から目隠しすることができる。この場合、カバー部材６０の傾斜側板部６３を、支持部材１０の支持片１２の外面に固着される断面略ハット状のアルミニウム製押出形材にて形成されるカバー受け７０の傾斜受け片７１に接触支持することにより、合成樹脂製のカバー部材６０の変形を防止することができる。
【００５１】
なお、上記実施形態では、手摺体２０が略Ｕ字形に形成され、上下部側基端部２１，２２がブラケット３０に固定保持される構造について説明したが、手摺体は必ずしもこの構造に限定されるものではない。例えば、略Ｕ字形の手摺体の上部側基端部をブラケットに固定保持した構造でもよく、あるいは、手摺体を略Ｕ字形以外の形状にしてもよい。
【００５２】
なお、上記実施形態では、この発明に係る縦可動手摺をトイレに適用した場合について説明したが、トイレ以外の例えばバスルームや、その他高齢者施設等の介助に供することができる場所にも同様に適用できることは勿論である。
【図面の簡単な説明】
【００５３】
【図１】この発明に係る縦可動手摺をトイレに取り付けた場合の使用状態を示す概略斜視図である。
【図２】上記縦可動手摺の使用状態の一部を断面で示す斜視図（ａ）及び要部を断面で示す斜視図（ｂ）である。
【図３】上記縦可動手摺の不使用時（格納時）の状態を示す斜視図である。
【図４】上記縦可動手摺の使用時の状態の一部を断面で示す側面図である。
【図５】図４の要部拡大断面図である。
【図６】図５の横断面図である。
【図７】上記縦可動手摺の回動状態の一部を断面で示す側面図である。
【図８】図７の要部拡大断面図である。
【図９】上記縦可動手摺の不使用時（格納時）の状態の一部を断面で示す側面図である。
【図１０】図９の要部拡大断面図である。
【図１１】上記縦可動手摺の構成部材を示す分解斜視図である。
【図１２】組立状態を示す分解斜視図である。
【図１３】この発明におけるカバー部材の取り付け前の状態を示す斜視図である。
【図１４】この発明における位置規制部材の正面斜視図（ａ）及び背面斜視図（ｂ）である。
【符号の説明】
【００５４】
１  壁面
１０  支持部材
１０ａ  貫通孔
１１  ベース
１２  支持片
１４  係止爪片
１７  係止段部
２０  手摺体
３０  ブラケット
３４  マグネット受け
３５  マグネット
３６  磁性プレート
３８  上端角部
４０  回転軸
４３  渦巻きスプリング
４４  ディスクダンパ
５０  位置規制部材
５１  位置規制片
５２  水平係止片
５３  嵌合溝部
５４  平坦膨隆部
５５  補強リブ
５６  凹状円弧部
６０  カバー部材
６１  天板部
６２  底板部
６３  傾斜側板部
６４  係止爪
６５  係止溝部
７０  カバー受け
７１  傾斜受け片
Ｈ  縦可動手摺
ｓ  隙間
【図１】
0005071983.tif 000002
【図２】
0005071983.tif 000003
【図３】
0005071983.tif 000004
【図４】
0005071983.tif 000005
【図５】
0005071983.tif 000006
【図６】
0005071983.tif 000007
【図７】
0005071983.tif 000008
【図８】
0005071983.tif 000009
【図９】
0005071983.tif 000010
【図１０】
0005071983.tif 000011
【図１１】
0005071983.tif 000012
【図１２】
0005071983.tif 000013
【図１３】
0005071983.tif 000014
【図１４】
0005071983.tif 000015